(57)【特許請求の範囲】
【請求項１】
枠体と、
前記枠体に案内されて開閉動作する主２枚折戸体と、
前記枠体に案内されて開閉動作すると共に前記主２枚折戸体より幅狭に形成された副２枚折戸体と、
前記主２枚折戸体と前記副２枚折戸体とを相互に回動自在に連結する連結機構とを備え、
前記主２枚折戸体と前記副２枚折戸体とは連結した状態で、それぞれ折り畳まれる開放状態とそれぞれ直線上に展開する閉塞状態との間で開閉自在に構成され、
前記連結機構は、前記主２枚折戸体と前記副２枚折戸体との間隙に臨んで当該間隙を閉塞する連結枠体と、
前記連結枠体と前記主２枚折戸体の連結側の縦框、および前記連結枠体と前記副２枚折戸体框の連結側の縦框をそれぞれ回動自在に連結する左右の回動機構と、を有し、
前記各回動機構は、前記各縦框に設けたヒンジピンと、一端部を前記ヒンジピンに回動自在に軸支され他端部を前記連結枠体に固定したアーム部材とを有していることを特徴とする折戸。
【請求項２】
枠体と、
前記枠体に案内されて開閉動作すると共に戸先側に配設した主２枚折戸体と、
前記枠体に案内されて開閉動作すると共に前記主２枚折戸体より幅狭に形成され戸尻側に配設した副２枚折戸体と、
前記主２枚折戸体と前記副２枚折戸体とを相互に回動自在に連結する連結機構とを備え、
前記主２枚折戸体と前記副２枚折戸体とは連結した状態で、それぞれ折り畳まれる開放状態とそれぞれ直線上に展開する閉塞状態との間で開閉自在に構成され、
前記連結機構は、前記主２枚折戸体と前記副２枚折戸体との間隙に臨んで当該間隙を閉塞する連結枠体と、
前記連結枠体と前記主２枚折戸体の連結側の縦框、および前記連結枠体と前記副２枚折戸体框の連結側の縦框をそれぞれ回動自在に連結する左右の回動機構と、を有し、
前記各回動機構は、前記各縦框に設けたヒンジピンと、一端部を前記ヒンジピンに回動自在に軸支され他端部を前記連結枠体に固定したアーム部材とを有していることを特徴とする折戸。
【請求項３】
前記主２枚折戸体および前記副２枚折戸体のうち、少なくとも当該副２枚折戸体には、その閉塞姿勢を前記枠体にロックするロック機構が組み込まれていることを特徴とする請求項２に記載の折戸。
【請求項４】
枠体と、
前記枠体に案内されて開閉動作すると共に戸尻側に配設した主２枚折戸体と、
前記枠体に案内されて開閉動作すると共に前記主２枚折戸体より幅狭に形成され戸先側に配設した副２枚折戸体と、
前記主２枚折戸体と前記副２枚折戸体とを相互に回動自在に連結する連結機構とを備え、
前記主２枚折戸体と前記副２枚折戸体とは連結した状態で、それぞれ折り畳まれる開放状態とそれぞれ直線上に展開する閉塞状態との間で開閉自在に構成され、
前記連結機構は、前記主２枚折戸体と前記副２枚折戸体との間隙に臨んで当該間隙を閉塞する連結枠体と、
前記連結枠体と前記主２枚折戸体の連結側の縦框、および前記連結枠体と前記副２枚折戸体框の連結側の縦框をそれぞれ回動自在に連結する左右の回動機構と、を有し、
前記各回動機構は、前記各縦框に設けたヒンジピンと、一端部を前記ヒンジピンに回動自在に軸支され他端部を前記連結枠体に固定したアーム部材とを有していることを特徴とする折戸。
【請求項５】
前記主２枚折戸体および前記副２枚折戸体のうち、少なくとも当該副２枚折戸体には、前記枠体に対する見付け方向の移動を許容した状態でその閉塞姿勢をロックするロック機構が組み込まれていることを特徴とする請求項４に記載の折戸。
【発明の詳細な説明】
【０００１】
【発明の属する技術分野】
本発明は、出入口を広く形成したバリアフリー設計の浴室やシャワー室等の水場において、その出入口に設けられる折戸に関する。
【０００２】
【従来の技術】
バリアフリー設計の浴室等においては、身障者の車椅子での出入りなどを考慮してその出入口を広く形成しており、このような幅広の出入口に設けられる折戸として、例えば特開平１０−１０８８８８号公報に記載のものが知られている。この折戸は、枠体と、枠体に開閉自在に設けられた一対の２枚折戸体とで構成され、この一対の２枚折戸体を左右にそれぞれ折り畳むように開放することにより、十分な有効開口幅を得るようにしている。この場合、左右一対の２枚折戸体は、同幅（見付け方向が同一幅）に形成された同一構造のものが用いられている。
【０００３】
【発明が解決しようとする課題】
このような従来の折戸では、身障者等が使用する場合には出入口を広く開放できて有用であるが、健常者が使用する場合には一対の２枚折戸体をそれぞれに開閉する必要があり、煩雑な開閉操作を強いることになる。もっとも、健常者が使用する場合に、一方の２枚折戸体のみを開閉することも考えられるが、かかる場合には、開口幅が狭くなってしまい、出入りが良好に行えなくなる不具合がある。
【０００４】
本発明は、出入りに支障を生ずることなく、必要に応じて出入口を広狭自在に開放するができる折戸を提供することを目的とする。
【０００５】
【課題を解決するための手段】
本発明の折戸は、枠体と、枠体に案内されて開閉動作する主２枚折戸体と、枠体に案内されて開閉動作すると共に主２枚折戸体より幅狭に形成された副２枚折戸体と、主２枚折戸体と副２枚折戸体とを相互に回動自在に連結する連結機構とを備え、主２枚折戸体と副２枚折戸体とは連結した状態で、それぞれ折り畳まれる開放状態とそれぞれ直線上に展開する閉塞状態との間で開閉自在に構成され、連結機構は、主２枚折戸体と副２枚折戸体との間隙に臨んで間隙を閉塞する連結枠体と、連結枠体と主２枚折戸体の連結側の縦框、および連結枠体と副２枚折戸体框の連結側の縦框をそれぞれ回動自在に連結する左右の回動機構と、を有し、各回動機構は、各縦框に設けたヒンジピンと、一端部をヒンジピンに回動自在に軸支され他端部を連結枠体に固定したアーム部材とを有していることを特徴とする。
【０００６】
この構成によれば、主２枚折戸体および副２枚折戸体を、連結機構により相互に回動自在に連結しているため、主副両２枚折戸体をそれぞれ折り畳んで開放状態とすることにより、出入口を広く開放することができる。また、主２枚折戸体および副２枚折戸体は、いわゆる見付け幅が相互に異なるため、主２枚折戸体のみを、或いは副２枚折戸体のみを折り畳むことにより、出入口を比較的狭い２種類の開口幅に選択的を開放することができる。例えば、車椅子の身障者が出入りするときには、主副両２枚折戸体を開放することで、出入口を広く開放することができるため有用であり、健常者が出入りするときには、主２枚折戸体のみを開放することで、開閉操作が煩雑になることがなく且つ出入りに支障を生ずることがない。さらに、主副２つの２枚折戸体を用いることで、有効開口幅を広くとっても、これら２枚折戸体の開閉に伴うデッドスペースを狭くすることができる。特に、主副２つの２枚折戸体により生ずる個々のデッドスペースが重なり合うため、この点でもデッドスペースを狭くすることができる。
また、主２枚折戸体および副２枚折戸体を折り畳んだときに、扉体同士の干渉、特に取っ手などの突起物との衝突を有効に防止することができる。またさらに、回動部分のシール構造を簡単かつ良好なものとすることができる。
なお、主２枚折戸体による有効開口幅は、健常者が出入りする場合や身障者が乗った車椅子を介護者が押して出入りする場合を考慮した寸法とすることが好ましく、主副両２枚折戸体による有効開口幅は、身障者自身が車椅子で出入りする場合を考慮した寸法とすることが好ましい。
【０００７】
本発明の他の折戸は、枠体と、枠体に案内されて開閉動作すると共に戸先側に配設した主２枚折戸体と、枠体に案内されて開閉動作すると共に主２枚折戸体より幅狭に形成され戸尻側に配設した副２枚折戸体と、主２枚折戸体と副２枚折戸体とを相互に回動自在に連結する連結機構とを備え、主２枚折戸体と副２枚折戸体とは連結した状態で、それぞれ折り畳まれる開放状態とそれぞれ直線上に展開する閉塞状態との間で開閉自在に構成され、連結機構は、主２枚折戸体と副２枚折戸体との間隙に臨んで間隙を閉塞する連結枠体と、連結枠体と主２枚折戸体の連結側の縦框、および連結枠体と副２枚折戸体框の連結側の縦框をそれぞれ回動自在に連結する左右の回動機構と、を有し、各回動機構は、各縦框に設けたヒンジピンと、一端部をヒンジピンに回動自在に軸支され他端部を連結枠体に固定したアーム部材とを有していることを特徴とする。
【０００８】
この構成によれば、主２枚折戸体および副２枚折戸体を、連結機構により相互に回動自在に連結しているため、主副両２枚折戸体をそれぞれ折り畳んで開放状態とすることにより、出入口を広く開放することができる。また、主２枚折戸体および副２枚折戸体は、いわゆる見付け幅が相互に異なるため、主２枚折戸体のみを、或いは副２枚折戸体のみを折り畳むことにより、出入口を比較的狭い２種類の開口幅に選択的を開放することができる。例えば、車椅子の身障者が出入りするときには、主副両２枚折戸体を開放することで、出入口を広く開放することができるため有用であり、健常者が出入りするときには、主２枚折戸体のみを開放することで、開閉操作が煩雑になることがなく且つ出入りに支障を生ずることがない。さらに、主副２つの２枚折戸体を用いることで、有効開口幅を広くとっても、これら２枚折戸体の開閉に伴うデッドスペースを狭くすることができる。特に、主副２つの２枚折戸体により生ずる個々のデッドスペースが重なり合うため、この点でもデッドスペースを狭くすることができる。
また、主２枚折戸体および副２枚折戸体を折り畳んだときに、扉体同士の干渉、特に取っ手などの突起物との衝突を有効に防止することができる。またさらに、回動部分のシール構造を簡単かつ良好なものとすることができる。
なお、主２枚折戸体による有効開口幅は、健常者が出入りする場合や身障者が乗った車椅子を介護者が押して出入りする場合を考慮した寸法とすることが好ましく、主副両２枚折戸体による有効開口幅は、身障者自身が車椅子で出入りする場合を考慮した寸法とすることが好ましい。
【０００９】
この場合、主２枚折戸体および副２枚折戸体のうち、少なくとも副２枚折戸体には、その閉塞姿勢を枠体にロックするロック機構が組み込まれていることが、好ましい。
【００１０】
この構成によれば、プライバシーを考慮した通常のロック操作が可能になると共に、例えば副２枚折戸体を閉塞ロックしておけば、主２枚折戸体のみを開閉したいときに、その開閉操作に伴って副２枚折戸体が一緒に開閉してしまうのを、有効に防止することができる。
【００１１】
本発明の他の折戸は、枠体と、枠体に案内されて開閉動作すると共に戸先側に配設した主２枚折戸体と、枠体に案内されて開閉動作すると共に主２枚折戸体より幅狭に形成され戸尻側に配設した副２枚折戸体と、主２枚折戸体と副２枚折戸体とを相互に回動自在に連結する連結機構とを備え、主２枚折戸体と副２枚折戸体とは連結した状態で、それぞれ折り畳まれる開放状態とそれぞれ直線上に展開する閉塞状態との間で開閉自在に構成され、連結機構は、主２枚折戸体と副２枚折戸体との間隙に臨んで間隙を閉塞する連結枠体と、連結枠体と主２枚折戸体の連結側の縦框、および連結枠体と副２枚折戸体框の連結側の縦框をそれぞれ回動自在に連結する左右の回動機構と、を有し、各回動機構は、各縦框に設けたヒンジピンと、一端部をヒンジピンに回動自在に軸支され他端部を連結枠体に固定したアーム部材とを有していることを特徴とする。
【００１２】
この構成によれば、主２枚折戸体および副２枚折戸体を、連結機構により相互に回動自在に連結しているため、主副両２枚折戸体をそれぞれ折り畳んで開放状態とすることにより、出入口を広く開放することができる。また、主２枚折戸体および副２枚折戸体は、いわゆる見付け幅が相互に異なるため、主２枚折戸体のみを、或いは副２枚折戸体のみを折り畳むことにより、出入口を比較的狭い２種類の開口幅に選択的を開放することができる。例えば、車椅子の身障者が出入りするときには、主副両２枚折戸体を開放することで、出入口を広く開放することができるため有用であり、健常者が出入りするときには、主２枚折戸体のみを開放することで、開閉操作が煩雑になることがなく且つ出入りに支障を生ずることがない。さらに、主副２つの２枚折戸体を用いることで、有効開口幅を広くとっても、これら２枚折戸体の開閉に伴うデッドスペースを狭くすることができる。特に、主副２つの２枚折戸体により生ずる個々のデッドスペースが重なり合うため、この点でもデッドスペースを狭くすることができる。
また、主２枚折戸体および副２枚折戸体を折り畳んだときに、扉体同士の干渉、特に取っ手などの突起物との衝突を有効に防止することができる。またさらに、回動部分のシール構造を簡単かつ良好なものとすることができる。
なお、主２枚折戸体による有効開口幅は、健常者が出入りする場合や身障者が乗った車椅子を介護者が押して出入りする場合を考慮した寸法とすることが好ましく、主副両２枚折戸体による有効開口幅は、身障者自身が車椅子で出入りする場合を考慮した寸法とすることが好ましい。
【００１３】
この場合、主２枚折戸体および副２枚折戸体のうち、少なくとも副２枚折戸体には、枠体に対する見付け方向の移動を許容した状態でその閉塞姿勢をロックするロック機構が組み込まれていることが、好ましい。
【００１４】
この構成によれば、プライバシーを考慮した通常のロック操作が可能になると共に、例えば副２枚折戸体を閉塞ロックしておけば、主２枚折戸体のみを開閉したいときに、見込み方向に移動する副２枚折戸体が折れ曲がるなど支障を生ずることがない。
【００２１】
【発明の実施の形態】
以下、添付図面を参照して、本発明の一実施形態に係る折戸を浴室の出入口に設置した場合について説明する。この浴室では、身障者等の出入りと健常者等の出入りとを考慮して、その出入口を広狭自在に開放できるように構成している。図１は、浴室側から見た第１実施形態に係る折戸１Ａの姿図であり、同図に示すように、折戸１Ａは、枠体２と枠体２に開閉自在に装着した扉体３とで構成され、また扉体３は、幅広に形成した主２枚折戸体４と幅狭に形成した副２枚折戸体５とを連結機構６により回動自在に連結して、構成されている。
【００２２】
枠体２は、上枠８、下枠９および両縦枠１０，１０を枠組みして構成されている。主２枚折戸体４は、主戸先側扉体１２および主戸尻側扉体１３を突き合わせ、連結金具１４を介して折曲げ自在に連結して、構成されている。同様に、副２枚折戸体５は、副戸先側扉体１５および副戸尻側扉体１６を突き合わせ、連結金具１４を介して折曲げ自在に連結して、構成されている。また、連結機構６は、主戸尻側扉体１３と副戸先側扉体１５との間に介設した連結枠体１８を有しており、連結枠体１８と主戸尻側扉体１３とは回動機構１９により相互に回動自在に連結され、同様に連結枠体１８と副戸尻側扉体１５とは回動機構１９により相互に回動自在に連結されている。
【００２３】
そして、このように構成された扉体３は、主２枚折戸体４を戸先側に且つ副２枚折戸体５を戸尻側に配設し、枠体２に案内させて、全体を副２枚折戸体５側に寄せるように移動させて開放される。すなわち、扉体３は、主２枚折戸体４および副２枚折戸体５が枠体２に沿って直線上に展開する開放状態と、副２枚折戸体５の戸尻側端部を中心（固定側として）に、主２枚折戸体４および副２枚折戸体５がそれぞれ２つ折りに折り畳まれて重なる開放状態との間で、開閉自在に構成されている。
【００２４】
図１ないし図３に示すように、枠体２の上枠８は、略逆「Ｌ」字状に形成した上枠本体２１と、上枠本体２１の下面に垂設した脱衣室Ｂ側の上枠シール取付片２２および浴室Ａ側の上ガイドレール２３とで一体に形成されている。下枠９は、２つの中空部を有する下枠本体２５と、下枠本体２５の上面に形成した脱衣室Ｂ側の下枠シール取付片２６および浴室Ａ側の下ガイドレール２７とで一体に形成されている。左右の各縦枠１０は、浴室Ａ側を「コ」字状に折り曲げた縦枠本体２９と、縦枠本体２９の内面に突設した縦枠シール取付片３０とで一体に形成されている。なお、特に言及しないが、枠体２と、主副両２枚折戸体（扉体３）４，５との間隙は、水密性を保持すべく、上記の各シール取付片等を利用してシール部材が介設されていることは、言うまでもない。
【００２５】
一方、主戸尻側扉体１３は、上框４１および下框４２と、戸尻縦框４３および連結縦框４４とを框組みすると共に、これにパネル体４５を嵌め込んで構成されている。同様に、主戸先側扉体１２は、上框４１および下框４２と、戸先縦框４６および連結縦框４７とを框組みすると共に、これにパネル体４５を嵌め込んで構成されている。
【００２６】
また、副戸尻側扉体１６は、上框５１、下框５２および中桟５３と、戸尻縦框５４および連結縦框５５とを框組みすると共に、これに上下一対のパネル体５６，５６を嵌め込んで構成されている。同様に、副戸先側扉体１５は、上框５１、下框５２および中桟５３と、戸先縦框５７および連結縦框５８とを框組みすると共に、これに上下一対のパネル体５６，５６を嵌め込んで構成されている。この場合、主２枚折戸体４の上框４１および下框４２は、副２枚折戸体５の上框５１および下框５２と全く同一の形材で構成されているが、戸先縦框４６、戸尻縦框４３および連結縦框４４，４７は、副２枚折戸体５のそれより幅広に形成された形材で構成されている。
【００２７】
主２枚折戸体４の戸先縦框４６および戸尻縦框４３には、それぞれ上下の両端部に同軸上に位置して、上スライドピン６１ａ，６２ａおよび下スライドピン６１ｂ，６２ｂがそれぞれ組み込まれている。各上スライドピン６１ａ，６２ａは、上側のスライダ部と下側のヒンジピン部とで一体に形成され、スライダ部で上記の上ガイドレール２３に摺動自在に係合し、ヒンジピン部で戸先縦框４６または戸尻縦框４３の上端部（小口）に回動自在に装着されている。同様に、各下スライドピン６１ｂ，６２ｂは、下部のスライダ部と上部のヒンジピン部とで一体に形成され、スライダ部で上記の下ガイドレール２７に摺動自在に係合し、ヒンジピン部で戸先縦框４６または戸尻縦框４３の下端部（小口）に回動自在に装着されている。
【００２８】
また、主戸先側扉体１２の連結縦框４７には、外端部に連結金具１４が半部を呑み込まれるようにして回動自在に取り付けられ、中空部分には主２枚折戸体４を浴室Ａ内から閉塞ロックするロック機構６４が組み込まれている。ロック機構６４は、連結縦框４７を上枠８にロックする。具体的には、ロック機構６４の係止ロッドが、例えば上ガイドレール２３の脱衣室Ｂ側に突出して、主２枚折戸体４が折曲げ不能となり、上枠にロックされた状態となる。したがって、主２枚折戸体４はその閉塞姿勢をロックされ、この状態で例えば副２枚折戸体５を開閉動作させれば、主２枚折戸体４は上ガイドレール２３に沿って移動することになる。
【００２９】
同様に、主戸尻側扉体１３の連結縦框４４には、外端部に連結金具１４が半部を呑み込まれるようにして回動自在に取り付けられ、その中空部分には上下にラッチ機構６５，６５が組み込まれている。そして、主戸先側扉体１２の脱衣室Ｂ側には、その上下中間位置において連結縦框４７に固定するようにして取っ手６６が配設され、また浴室Ａ側には、その上下中間位置において連結縦框４７と戸先縦框４６に渡すようにして取っ手を兼ねるタオル掛け６７が配設されている。
【００３０】
同様に、副２枚折戸体５の戸先縦框５７および戸尻縦框５４には、それぞれ上下の両端部に同軸上に位置して、上記と同様の構造を有する上スライドピン７１ａ，７２ａおよび下スライドピン７１ｂ，７２ｂがそれぞれ組み込まれている。また、副戸先側扉体１５の連結縦框５８の中空部分には副２枚折戸体５を閉塞ロックするロック機構７４が組み込まれている。このロック機構７４は、主２枚折戸体４のロック機構６４と同様のものであり、この場合には、副２枚折戸体５がその閉塞姿勢をロックされる。同様に、副戸尻側扉体１６連結縦框５５の中空部分には上下にラッチ機構７５，７５が組み込まれている。なお、実施形態の副２枚折戸体５には、特に取っ手は設けられていないが、必要に応じて設けることも可能である。
【００３１】
このように構成された主２枚折戸体４および副２枚折戸体５では、上記４組の上下両スライドピン６１，６２，７１，７２は、上下両ガイドレール２３，２７に摺動自在に係合しているが、副２枚折戸体５の戸尻縦框５４に組み込んだ１組の上下両スライドピン７２ａ，７２ｂは、上下両ガイドレール２３，２７に固定されている。これにより、主２枚折戸体４および副２枚折戸体５は、それぞれの戸先側扉体１２，１５および戸尻側扉体１３，１６が直線上に横に並んだ状態と、副２枚折戸体５の戸尻縦框５４を中心に、それぞれの戸尻側扉体１２，１５および戸先側扉体１３，１６が折り畳まれながら戸尻側に移動する状態との間で、開閉動作される。
【００３２】
主２枚折戸体４の戸尻縦框４３と副２枚折戸体５の戸先縦框５７との間には、上記の連結機構６が介設されており、連結機構６は、折り畳んだ（閉塞）主２枚折戸体４の主戸尻側扉体１３と副２枚折戸体５の副戸先側扉体１５との相互の干渉（特に取っ手）を防止すべく、連結枠体１８を有している。連結枠体１８は、扉体３の開閉動作の際に、一方の端面が上記の戸尻縦框４３に、他方の端面が上記のの戸先縦框５７に摺接する。このため、連結枠体１８の見付け方向の脱衣室Ｂ側半部は、その両端面が戸尻縦框４３および戸先縦框５７の外端面と相補的断面形状となっており、全体として略矩形の中空断面を有している。また、連結枠体１８は、戸尻縦框４３および戸先縦框５７と同一の高さ寸法に形成され、この両縦框４３，５７の間隙を閉塞している。
【００３３】
次に、図６を参照して、連結枠体１８と、その見付け方向の両側に位置する副２枚折戸体５の戸先縦框５７および主２枚折戸体４の戸尻縦框４３との間にそれぞれ構成した、左右の回動機構１９，１９について説明する。この左右の回動機構１９，１９は、同一構造のものを左右反転して取り付けられており、且つ各回動機構１９は、上下２箇所（或いは３箇所）に配設されている。したがって、ここでは、上記の戸先縦框５７と連結枠体１８との間に介設した上部の回動機構１９について説明する。
【００３４】
同図に示すように、戸先縦框５７と連結枠体１８とが外端面（円弧面）同士を突き合わせて連結されており、この戸先縦框５７と連結枠体１８とに渡すように回動機構１９が組み込まれている。回動機構１９は、戸先縦框５７と連結枠体１８とに跨ってこれらの脱衣室Ｂ側の外面に添設したアーム部材８１と、戸先縦框５７の中空部内に装着されアーム部材８１を受けるヒンジブロック８２と、回動中心となるヒンジピン８３と、連結枠体１８の中空部内に固定した上下一対のねじ受け部材８４，８４と、アーム部材８１を脱衣室Ｂ側から覆うカバー部材８５とで、構成されている。
【００３５】
アーム部材８１は、戸先縦框５７および連結枠体１８に添設された方形平板状のベース部８７と、ベース部８７の戸先縦框５７側の端部から戸先縦框５７の中空部内に延びるヒンジアーム部８８と、ヒンジアーム部８８の先端部に形成した軸孔部８９とで、一体に形成されている。アーム部材８１は、ヒンジアーム部８８で戸先縦框５７の中空部内に臨み、ベース部８７の連結枠体１８側の端部で、上記のねじ受け部材８４を受けとして連結枠体１８に固定されている。すなわち、各ねじ受け部材８４にはそれぞれ雌ねじが形成されており、アーム部材８１は、脱衣室Ｂ側からねじ受け部材８４，８４に螺合した固定ねじ９０，９０により、カバー部材８５と共締め状態で連結枠体１８にねじ止めされている。また、カバー部材８５は、アーム部材８１のベース部８７を内包すると共に、その四辺の突出部分が戸先縦框５７および連結枠体１８の外面に添う形状に形成されている。
【００３６】
ヒンジブロック８２は、脱衣室Ｂ側の略半部を戸先縦框５７の中空部内に内接するように装着されており、この状態で脱衣室Ｂ側から螺合したねじ９１により、戸先縦框５７に固定されている。戸先縦框５７の軸心に位置するヒンジブロック８２の部位には、上記のヒンジピン８３が挿通する軸受け部９２が形成され、またヒンジブロック８２の上下中間位置には、軸受け部９２を中心として扇状の平面形状を有するアームスリット９３が形成されている。そして、このアームスリット９３に対応するように戸先縦框５７の側壁には切欠きスリット９４が形成されている。
【００３７】
アーム部材８１のヒンジアーム部８８は、軸孔部８９がヒンジブロック８２の軸受け部９２に合致するように切欠きスリット９４を介してアームスリット９３に挿入されており、この状態で、軸孔部８９および軸受け部９２を挿通するようにヒンジピン８３が取り付けられている。副２枚折戸体５の開閉に伴う戸先縦框５７の回動により、ヒンジアーム部８８は、ヒンジピン８３を中心に上記の切欠きスリット９４およびアームスリット９３に案内されるようにして、相対的に回動する。このようにして、戸先縦框５７および戸尻縦框４３と、連結枠体１８とは、相互に外端部同士を突き合わせた状態で、回動自在に連結されている。
【００３８】
次に、図３ないし図５を参照して、扉体３の開閉動作について説明する。上述したように、主２枚折戸体４は戸先側に、副２枚折戸体５は戸尻側にそれぞれ配設されており、図３の閉塞状態から取っ手６６或いはタオル掛け６７を持って扉体３を開放動作させると、主２枚折戸体４が浴室Ａ側に折り込まれるようにして開放される（図４の状態）。さらに、見付け方向に力を加えながら、脱衣室Ｂ側から副２枚折戸体５を折り込むようにすると、副２枚折戸体５が折り畳まれて、扉体３全体が開放状態となる（図５の状態）。
【００３９】
ところで、実施形態の折戸１Ａでは、主２枚折戸体４および副２枚折戸体５を開放した場合の有効開口幅は８００ｍｍに、主２枚折戸体４のみを開放した場合の有効開口副は６５０ｍｍに設計されている。この８００ｍｍの有効開口幅は、身障者が自ら車椅子で出入りする場合を想定したものであり、また６５０ｍｍの有効開口幅は、介護者が身障者の乗った車椅子に押して出入りする場合、および健常者が出入りする場合を想定したものである。
【００４０】
したがって、身障者自身が車椅子で出入りする場合を除き、副２枚折戸体５を上記のロック機構７４で閉塞ロックしておいて、常時は主２枚折戸体４のみを開閉するような使用方法が好ましい。もっとも、常時、身障者自身が車椅子で出入りする場合には、副２枚折戸体５にも取っ手を設けておいて、主副両２枚折戸体４，５を効率よく開閉できるようにすることが、好ましい。
【００４１】
このように第１実施形態の折戸１Ａによれは、見付け幅の異なる主２枚折戸体４と副２枚折戸体５との２つの２枚折戸体により、出入口を開閉する扉体３を構成するようにしているので、身障者自身が車椅子で出入りする場合には、２つの２枚折戸体４，５を開放して、出入口を広くしその出入りに支障を生じないようにすることができる。また、健常者が出入りする場合や介護者が身障者の乗った車椅子に押して出入りする場合には、主２枚折戸体４のみを開放（このとき副２枚折戸体５はロックしておく）し、その出入りに支障を生じさせることなく、開閉操作を容易なものとすることができる。
【００４２】
また、２つの２枚折戸体４，５で扉体３を構成することにより、広い開口幅を確保しつつ、２枚折戸体４の開閉移動軌跡に基づく浴室Ａ側のデッドスペースを小さくすることができる。特に、２つの２枚折戸体４，５が相互に連結されていることで、個々の開閉緯度軌跡が相互に重なるため、この点でも浴室Ａ側のデッドスペースを小さくすることができる。
【００４３】
次に、図７ないし図９を参照して、本発明の第２実施形態に係る折戸１Ｂについて説明する。第１実施形態と異なりこの実施形態の折戸１Ｂでは、主２枚折戸体４は戸尻側に、副２枚折戸体５は戸先側にそれぞれ配設されている。また、閉塞状態でタオル掛け６７と副２枚折戸体５との干渉（衝突）を防止すべく、連結枠体１８が第１実施形態のものより幅広に形成されている。さらに、主２枚折戸体４の戸先縦框４６には、その脱衣室側に開閉ハンドル６９が設けられている。
【００４４】
開閉ハンドル６９は、連結枠体１８を越えて副２枚折戸体５の位置まで見込み方向に延びており、そのグリップ６９ａは、その軸心に対して回動自在に設けられている。この開閉ハンドル６９のグリップ６９ａを握って主２枚折戸体４を開放する際に、幾分手前に引きながら見込み方向に力を加えると、戸先縦框４６を中心として主２枚折戸体４に折曲げ力が加わる。このため、主２枚折戸体４を折り曲げながらこれに見込み方向に開放力を作用させることになり、主２枚折戸体４を円滑に開放操作することができる。なお、この第２実施形態では、戸尻側に位置する主２枚折戸体４の戸尻縦框４３を固定端として、扉体３の開閉が行われる。
【００４５】
この第２実施形態でも第１実施形態と同様に、主２枚折戸体４および副２枚折戸体５を開放した場合の有効開口幅は、身障者が自ら車椅子で出入りする場合を想定して設計され、主２枚折戸体４のみを開放した場合の有効開口副は、介護者が身障者の乗った車椅子に押して出入りする場合、および健常者が出入りする場合を想定して設計されている。なお、第２実施形態でも、主２枚折戸体４のみを常時開閉する使用形態において、副２枚折戸体５を閉塞ロックするが、上記のロック機構は副２枚折戸体５の閉塞姿勢をロックし、上下ガイドレール２３，２７に案内された移動は許容する。このため、副２枚折戸体５がロック状態にあっても、主２枚折戸体４の開閉に支障を生ずることはない。
【００４６】
このように第２実施形態の折戸１Ｂによれは、第１実施形態と同様に、身障者自身が車椅子で出入りする場合には、出入口を広くしその出入りに支障を生じないようにすることができ、また健常者が出入りする場合や介護者が身障者の乗った車椅子に押して出入りする場合には、その出入りに支障を生じさせることなく、開閉操作を容易なものとすることができる。しかも、第２実施形態の場合には、主２枚折戸体４の開閉動作によるデッドスペースが、副２枚折戸体５の開閉動作によるデッドスペースと完全に重なる（包含される）ため、より一層デッドスペースを小さくすることができる。
【００４７】
なお、上記の第１、第２実施形態では、主２枚折戸体４と副２枚折戸体５とが連結機構６により相互に回動自在に連結されているが、主２枚折戸体４と副２枚折戸体５とを連結することなく、中央で突き合わせて開閉する構造としてもよい（図示省略）。より具体的には、一方の縦枠に添わせた主２枚折戸体の縦框を戸尻縦框として、主２枚折戸体を開閉動作させるようにし、他方の縦枠に添わせた副２枚折戸体の縦框を戸尻縦框として、副２枚折戸体を開閉動作させるようにする。そして、主副両２枚折戸体の戸先縦框同士を中央で突き合わせて、閉塞状態とする。
【００４８】
【発明の効果】
以上のように本発明の折戸によれば、幅広の主２枚折戸体と幅狭の副２枚折戸体とを、連結機構により相互に回動自在に連結しているため、使い勝手に応じて出入口を広狭自在に開放することができ、且つこれら２枚折戸体によるデッドスペースを狭くすることができる。
【図面の簡単な説明】
【図１】本発明の第１実施形態に係る折戸の浴室側から見た姿図である。
【図２】第１実施形態に係る折戸の縦断面図である。
【図３】第１実施形態に係る折戸の閉塞状態の横断面図である。
【図４】第１実施形態に係る折戸の一部開放状態の横断面図である。
【図５】第１実施形態に係る折戸の完全開放状態の横断面図である。
【図６】回動機構の構造図である。
【図７】第２実施形態に係る折戸の閉塞状態の横断面図である。
【図８】第２実施形態に係る折戸の一部開放状態の横断面図である。
【図９】第２実施形態に係る折戸の完全開放状態の横断面図である。
【符号の説明】
１（１Ａ，１Ｂ）  折戸、２  枠体、３  扉体、４  主２枚折戸体、５  副２折戸体、６  連結機構、８  上枠、９  下枠、１０  縦枠、１８  連結枠体、１９  回動機構、２３  上ガイドレール、２７  下ガイドレール、６４  ロック機構、６６  取っ手、６７  タオル掛け、７４  ロック機構、Ａ  浴室、Ｂ  脱衣室、
【図１】
0003636642.tif 000002
【図２】
0003636642.tif 000003
【図３】
0003636642.tif 000004
【図４】
0003636642.tif 000005
【図５】
0003636642.tif 000006
【図６】
0003636642.tif 000007
【図７】
0003636642.tif 000008
【図８】
0003636642.tif 000009
【図９】
0003636642.tif 000010